(57)【要約】      （修正有）【課題】光ディスクの搬入時のディスクトレイとシャーシとの接触音の発生を抑制できるとともに、ディスクトレイの入出用開口から塵、埃等の異物が浸入するのを抑制する。【解決手段】カムスライダ４に固定された固定ボス４１１と、固定ボス４１１の後側に配置され、ディスクトレイ２の摺動方向に変位可能であり、ディスクトレイ２がローダシャーシの内部に移動したときガイド溝２２の直交部２２３に押されて変位する可動ボス４１２とを備え、可動ボス４１２が直交部２２３を押し返すことでディスクトレイ２がローダシャーシの内部側に押され、蓋状部が開口の周囲に接触する。【選択図】図５
2011233185.tif 000002
【特許請求の範囲】
【請求項１】
前面に開口を有する箱形状のローダシャーシと、
前面に前記開口よりも大きな蓋状部を有し、前記ローダシャーシに前記開口から出入可能な状態で支持されているディスクトレイと、
前記ローダシャーシの内部に配置され、前記ディスクトレイと直交する方向に摺動するカムスライダとを備え、
前記ディスクトレイの光ディスクを載置する面の反対側は、摺動方向に延びる直線部と、前記直線部より前面側に形成され前記摺動方向と直交する方向に延びる直交部と、前記直線部及び前記直交部とを接続し、前記摺動方向に対して傾いて形成された斜行部とを含むガイド溝を備え、
前記カムスライダが前記ガイド溝と係合するスライダボスを備えた光ディスク装置であって、
前記スライダボスが前記カムスライダに固定された固定ボスと、前記固定ボスの後側に配置され、前記ディスクトレイの摺動方向に変位可能であり、前記ディスクトレイが前記ローダシャーシの内部に移動したとき前記ガイド溝の前記直交部に押されて変位する可動ボスとを備えていることを特徴とする光ディスク装置。
【請求項２】
前記カムスライダには前記固定ボスと前記可動ボスとの両方を含むスライダボスが少なくとも１つ備えられている請求項１に記載の光ディスク装置。
【請求項３】
前記可動ボスは前記カムスライダに形成された貫通孔の内部に前記ディスクトレイの摺動方向に張り出した弾性変形部の先端より突出形成されている請求項１又は請求項２に記載の光ディスク装置。
【請求項４】
前記可動ボスはそれ自体が弾性変形可能であることを特徴とする請求項１から請求項３のいずれかに記載の光ディスク装置。
【請求項５】
前記ガイド溝の前記直交部は、前記ディスクトレイが前記ローダシャーシの内部に移動したとき、前記可動ボスを前記ディスクトレイ摺動方向奥側の内壁面で押す位置に形成されている請求項１から請求項４のいずれかに記載の光ディスク装置。
【請求項６】
前記ガイド溝の前記直交部は、前記斜行部との連結部と近接している部分の前記ディスクトレイの摺動方向奥側の壁が、前記ディスクトレイの摺動方向奥側にずれて形成されている請求項５に記載の光ディスク装置。
【発明の詳細な説明】
【技術分野】
【０００１】
本発明は、ディスクトレイを用いて記録媒体である光ディスクを搬入／搬出す光ディスク装置に関するものである。
【背景技術】
【０００２】
近年、映像や音楽等を記録、再生する機器として、光ディスク装置が広く用いられている。前記光ディスク装置には、前記光ディスクの搬入／搬出にディスクトレイを用いるものがある。この光ディスク装置の場合、前記光ディスクが載置されたディスクトレイを摺動させて、前記光ディスクを前記光ディスク装置の内部に搬入又は外部に搬出する。
【０００３】
従来の光ディスク装置について図面を参照して説明する。図１０は従来の光ディスク装置の概略平面図である。図１０に示すように、光ディスク装置は、ローダシャーシ９１と、ローダシャーシ９１に摺動可能に支持されており、光ディスクをローダシャーシ９１の内部に搬入／外部に搬出するディスクトレイ９２と、ローダシャーシ９１の内部に配置されディスクトレイ９２と連動するカムスライダ９３とを備えている。
【０００４】
ローダシャーシ９１は内部に光ピックアップ、ターンテーブル、駆動機構等も備えている。ディスクトレイ９２はローダシャーシ９１に形成されている開口９１１からローダシャーシ９１の内外に摺動することができるようにローダシャーシ９１に取り付けられている。
【０００５】
ディスクトレイ９２は光ディスクを載置した状態で摺動することができる形状になっている。ディスクトレイ９２の光ディスクが載置される面と反対側の面には、ガイド溝９２１が形成されており、ガイド溝９２１にはカムスライダ９３に突出形成されたスライダボス９３１が嵌入されている。ガイド溝９２１は途中で屈曲している。ディスクトレイ９２が摺動するとき、スライダボス９３１はガイド溝９２１の内部を相対的に摺動し、スライダボス９３１がガイド溝９２１の屈曲部分に到達すると、スライダボス９３１がガイド溝９２１に押され、カムスライダ９３は摺動する。
【０００６】
ガイド溝９２１は途中からディスクトレイ９２の摺動方向と直交する方向に形成されている。スライダボス９３１が前記直交する部分に到達したとき、ガイド溝９２１のディスクトレイの摺動方向と直交する部分と当たることで、ディスクトレイ９２の入出方向の摺動が規制される。
【０００７】
前記光ディスク装置では、光ピックアップに配置された対物レンズで光ディスクの記録面にレーザ光を集光させて、情報の再生又は記録を行っている。このため、前記光ディスク本体や前記対物レンズに塵、埃等の異物が付着すると、レーザ光が前記光ディスクに正確に照射されなくなり、情報の再生、記録の精度が低下する懸念がある。また、ローダシャーシ９１の内部には光ピックアップ以外にも電子部品や駆動機構等、異物を嫌う部材が配置されている。
【０００８】
そのため、ディスクトレイ９２の端部は、ローダシャーシ９１の開口９１１よりも大きな外形の蓋状部９２０を備えた構成となっている。ディスクトレイ９２がローダシャーシ９１内部に納まったとき、蓋状部９２０が開口９１１を塞ぎ、開口９１１からローダシャーシ９１の内部に異物が入るのを抑制している。
【０００９】
しかしながら、一般的にローダシャーシ９１、ディスクトレイ９２、カムスライダ９３は樹脂の一体成型品であり、製造時に誤差が発生してしまう。ディスクトレイ９２のガイド溝９２１とカムスライダ９３のスライダボス９３１の位置に誤差が生じている場合、ディスクトレイ９２が、設計時に設定されている位置とずれる。このあたりによって、ローダシャーシ９１とディスクトレイ９２の蓋状部９２０が強くあたって接触音が発生したり、大きな応力が作用し破損してしまったりする場合がある。それとは逆に、蓋状部９２０とローダシャーシ９１との間に隙間ができ、開口９１１からローダシャーシ９１の内部に異物が入りやすくなる。
【００１０】
そこで、予めローダシャーシ９１の前面と蓋状部９２０との間に隙間ができるように光ディスク装置を構成しておき、図１０に示すように、その隙間にクッション性を有する隙間部材９４を配置するものが提案されている。このように隙間部材９４を配置することでローダシャーシ９１の前面と蓋状部９２０との隙間を塞ぎ、ローダシャーシ９１と蓋状部９２０との接触による破損や異音の発生、或いは、隙間（開口９１１）から異物が入るのを抑制する。
【００１１】
また、図１１に示すような、蓋体９５をディスクトレイ９２の端部に取り付けるものも提案されている。図１１はディスクトレイの前面側端部の底面図である。図１１に示すように、蓋体９５はディスクトレイ９２を貫通する貫通軸９５１を備えており、貫通軸９５１にばねを取り付けて、蓋体９５をディスクトレイ９２に押し付けている。この構成によると、ディスクトレイ９２がローダシャーシ９１に進入し、蓋体９５がローダシャーシ９１と接触したとき、ばねの力で蓋体９５とローダシャーシ９１の接触による衝撃を緩和する。また、ディスクトレイ９２がローダシャーシ９１の内部に配置されたとき、蓋体９５がばねの力でローダシャーシ９１の正面側に押し当てられる。これにより、接触による破損や異音を抑制することができるとともに、ローダシャーシ９１の内部に異物が入るのを抑制することができる。
【先行技術文献】
【特許文献】
【００１２】
【特許文献１】特開２００７−２３４１４８号公報
【特許文献２】特開平１０−１０６２３１号公報
【発明の概要】
【発明が解決しようとする課題】
【００１３】
以上に示したように、開口９１１からの異物の挿入を確実に行うためには、隙間部材９４を取り付けたり、蓋体９５を取り付けたりすることが必要で、そのために構成部材が増加し、組立の手間と時間が多くなり、重量、コストが増加する。
【００１４】
また、クッション性を有する隙間部材９４は樹脂で形成されていることがほとんどであり、多くの場合、経年変化や光ディスク装置からの熱により硬化する。隙間部材９４が経年変化により硬化すると、隙間部材９４で隙間を十分に塞ぐことができなくなったり、接触時に異音が発生してしまったりする。
【００１５】
そこで本発明は、専用の部材を用いることなく、光ディスクの搬入時のディスクトレイとシャーシとの接触音の発生を抑制できるとともに、前記ディスクトレイの入出用開口から塵、埃等の異物が浸入するのを抑制することが可能な光ディスク装置を提供することを目的とする。
【課題を解決するための手段】
【００１６】
上記目的を達成するために本発明は、前面に開口を有する箱形状のローダシャーシと、前面に前記開口よりも大きな蓋状部を有し、前記ローダシャーシに前記開口から出入可能な状態で支持されているディスクトレイと、前記ローダシャーシの内部に配置され、前記ディスクトレイと直交する方向に摺動するカムスライダとを備え、前記ディスクトレイの光ディスクを載置する面の反対側は、摺動方向に延びる直線部と、前記直線部より前面側に形成され前記摺動方向と直交する方向に延びる直交部と、前記直線部及び前記直交部とを接続し、前記摺動方向に対して傾いて形成された斜行部とを含むガイド溝を備え、前記カムスライダは前記ガイド溝と係合するスライダボスを備えており、前記光ディスクに光を照射して情報の記録／再生を行う光ディスク装置であって、前記スライダボスは前記カムスライダに固定された固定ボスと、前記固定ボスの後側に配置され、前記ディスクトレイの摺動方向に変位可能であり、前記ディスクトレイが前記ローダシャーシの内部に移動したとき前記ガイド溝の前記直交部に押されて変位する可動ボスとを備え、前記可動ボスが前記直交部を押し返す力で、前記ディスクトレイが前記ローダシャーシの内部側に押され、前記蓋状部が前記開口の周囲に接触することを特徴とする。
【００１７】
この構成によると、前記可動ボスが前記直交部に押されて変形することで、前記可動ボスの弾性力で前記直交部が押し返される。この可動ボスの弾性力によって前記ディスクトレイは前記ローダシャーシの内部に押され、前記ディスクトレイは前記ローダシャーシの開口の周囲に接触している。
【００１８】
これにより、前記開口は前記蓋状部で閉じられるので、外部の塵や埃等の異物がローダシャーシ内部に前記開口を通って入るのを抑制することができる。このことによって、異物が光ディスク、光ピックアップの光学系に付着し、前記光ディスクへの情報の記録／再生のための光の照射精度が低下するのを抑制することが可能である。また、前記異物がモータ、ギヤ等の駆動部に堆積して、駆動機構の動作が悪くなるのも抑制することができる。さらに、内部の光が前記開口を通じて外部に漏れるのを抑制することができる。
【００１９】
以上のことより、異物が装置内部に入ること、装置内部の光が漏れることを抑制することで光ディスク装置を高品位に保つことができる。
【００２０】
上記構成において、前記カムスライダには前記固定ボスと前記可動ボスとの両方を含むスライダボスが少なくとも１つ備えられているものを挙げることができる。前記可動ボスとして、前記カムスライダに形成された貫通孔の内部に前記ディスクトレイの摺動方向に張り出した弾性変形部の先端より突出形成されているものであってもよく、それ自体が弾性変形可能なものであってもよい。
【００２１】
上記構成において、前記ガイド溝の前記直交部は、前記ディスクトレイが前記ローダシャーシの内部に移動したとき、前記可動ボスを前記ディスクトレイ摺動方向奥側の内壁面で押す位置に形成されているものを挙げることができる。この構成によると、前記直交部による前記可動ボスの変形量が多くなるので、前記蓋状部を前記開口の周囲に押し当てることができ、それだけ、前記開口と前記蓋状部との隙間を減らすことが可能である。
【００２２】
上記構成において、前記ガイド溝の前記直交部は、前記斜行部との連結部と近接している部分の前記ディスクトレイの摺動方向奥側の壁が、前記ディスクトレイの摺動方向奥側にずれて形成されていてもよい。
【発明の効果】
【００２３】
本発明によると、専用の部材を用いることなく、光ディスクの搬入時のディスクトレイとシャーシとの接触音の発生を抑制できるとともに、前記ディスクトレイの入出用開口から塵、埃等の異物が浸入するのを抑制することが可能な光ディスク装置を提供することができる。
【図面の簡単な説明】
【００２４】
【図１】本発明にかかる光ディスク装置の上部から見た概略配置図である。
【図２】は図１に示す光ディスク装置の内部構造の概略配置図である。
【図３】本発明にかかる光ディスク装置の前面側から見た概略配置図である。
【図４】カムスライダのスライダボスとガイド溝を拡大した平面図である。
【図５】図４をＶ−Ｖ線で切断したときの拡大断面図である。
【図６】図６（Ａ）はディスクトレイがディスク交換位置にあるときの図であり、図６（Ｂ）はディスクトレイがローダシャーシの内部の途中まで進入した状態の図であり、図６（Ｃ）はディスクトレイが停止する直前の状態の図であり、図６（Ｄ）はディスクトレイが記録／再生位置にあるときの図である。
【図７】本発明にかかる光ディスク装置に用いられるカムスライダの他の例の平面図である。
【図８】本発明にかかる光ディスク装置に用いられるカムスライダのさらに他の例の平面図である。
【図９】本発明にかかる光ディスク装置のガイド溝とカムスライダとを主に示した配置図である。
【図１０】従来の光ディスク装置の概略平面図である。
【図１１】ディスクトレイの前面側端部の底面図である。
【発明を実施するための形態】
【００２５】
以下に本発明の実施形態を図面を参照して説明する。図１は本発明にかかる光ディスク装置の上部から見た概略配置図であり、図２は図１に示す光ディスク装置の内部構造の概略配置図である。なお、図２では、説明の便宜上、ディスクトレイ及びトラバースシャーシを省略している。
【００２６】
光ディスク装置Ａは、ローダシャーシ１と、光ディスクＤｓをローダシャーシ１の内部に搬入する又は外部に搬出するディスクトレイ２と、ローダシャーシ１に旋回可能に支持されたトラバースシャーシ３と、ローダシャーシ１の内部に配置され、ローダシャーシ１の摺動方向と直交する方向に摺動可能なカムスライダ４とを備えている。また、トラバースシャーシ３は、光ディスクを保持し回転駆動するディスク駆動部５と、光ディスクに光を照射する光ピックアップ６とを備えている。
【００２７】
なお、以下の説明において、ディスクトレイ２がローダシャーシ１より進出する方向を前面側（図中Ｆ）、ディスクトレイ２がローダシャーシ１の内部に進入する方向を後側（図中Ｂ）とする。
【００２８】
図１に示すように、ローダシャーシ１は長方形状の底面１１と、底面１１の端縁から突設する壁部１２とを備えた有底函体である。壁部１２の前面側にはディスクトレイ２が進入／進出する開口１３が形成されている。また、光ディスク装置Ａはローダシャーシ１の上部を覆うカバーシャーシを備えており（不図示）、カバーシャーシを取り付けることでローダシャーシ１は密閉される。ローダシャーシ１の底面１１及び壁部１２は樹脂の一体成型体である。
【００２９】
また、ローダシャーシ１には底面１１に回転可能に支持されたトレイギヤ１４と、トレイギヤ１４と噛合するように配置された伝達ギヤ１５とを備えている。トレイギヤ１４及び伝達ギヤ１５は底面１１に直交して配置された回転軸周りに回転する歯車である。また、ローダシャーシ１には、モータ１６が配置されている。なお、図１に示す光ディスク装置では、モータ１６とトレイギヤ１４とが伝達ギヤ１５で連結されているが、それに限定されるものではなく、複数の歯車群を用いて連結されるものであってもよい。モータ１６の駆動力がトレイギヤ１４に伝達されることで、トレイギヤ１４は回転する。
【００３０】
図１に示すように、ローダシャーシ１の底面１１の後側には、上側に向かって突出したボス１０が備えられている。ボス１０にはフローティングゴム（ダンパー）１００が外嵌されている。そして、フローティングゴム１００が外嵌されたボス１０はトラバースシャーシ３の後側に形成されたボス孔３０を貫通している。ボス１０の外径はボス孔３０の内径よりも小さく、その隙間があることでトラバースシャーシ３は旋回可能となっている。また、ボス１０とボス孔３０の隙間に、フローティングゴム１００が配置されていることで、トラバースシャーシ３の旋回時のがたつきが抑制される。
【００３１】
ディスクトレイ２は樹脂の一体成型体である。ローダシャーシ１の開口１３から進出した光ディスクを交換するためのディスク交換位置と、ローダシャーシ１の内部に収納された光ディスクの記録／再生を行うための記録／再生位置との間を摺動するように、ローダシャーシ１に支持されている。
【００３２】
ディスクトレイ２は、光ディスクを載置する面（ディスク載置面）に形成された光ディスクを配置する凹部２０と、ディスクトレイ２のディスク載置面と反対側の面に形成され、ディスクトレイ２の摺動方向に延びるラックギヤであるトレイラック２１と、トレイラック２１と同じ面に形成されたガイド溝２２とを備えている。凹部２０は小径（直径８ｃｍ）の光ディスクを載置できる小径用凹部と、大径（直径１２ｃｍ）の光ディスクを載置できる大径用凹部とを備えている。
【００３３】
また、ディスクトレイ２の前面側の端部は、ローダシャーシ１の開口１３よりも大きく形成された蓋状部２３を備えている。ディスクトレイ２がローダシャーシ１の内部に進入し、記録／再生位置に到達したとき（図１の状態のとき）、蓋状部２３はローダシャーシ１の開口１３の周囲部分と接触する。
【００３４】
ディスクトレイ２には、開口窓２４が形成されている。この開口窓２４はディスク駆動部５が貫通する貫通孔であり、ディスク駆動部５に備えられたターンテーブル５１は開口窓２４を貫通し、凹部２０に配置された光ディスクの中央部を記録面側から押す。そして、ターンテーブル５１はカバーシャーシに備えられたクランパ（不図示）とで光ディスクを挟持する。なお、ディスク駆動部５の詳細は後述する。
【００３５】
図２に示すように、トレイラック２１はディスクトレイ２の位置（開口１３に対する位置）によって、トレイギヤ１４と歯合する。トレイラック２１とトレイギヤ１４とが歯合しているとき、トレイギヤ１４の回転がトレイラック２１に伝達され、ディスクトレイ２は前後に摺動する。
【００３６】
ガイド溝２２はディスクトレイ２の摺動方向に沿って延びる直線部２２１と、直線部２２１に対して所定の角度だけ屈曲した斜行部２２２と、直線部２２１に対して直交する直交部２２３とを備えている。そして、ガイド溝２２において、直線部２２１、斜行部２２２、直交部２２３とは連結され、一本の繋がった凹溝が形成されている。なお、本実施形態にかかるディスクトレイ２では、２本のガイド溝が形成されているが、図２中右側は開口窓２４が形成されている関係上、直線部２２１は省略され、斜行部２２２と直交部２２３のみを備えた構成となっている。
【００３７】
次にトラバースシャーシ３について説明する。図２に示すようにトラバースシャーシ３の前面には樹脂で形成されたトラバースカバー３３が配置されており、トラバースカバー３３から前面側に突出した昇降ボス３１を備えている。昇降ボス３１はカムスライダ４に形成されている後述のカム溝４２に係合されている。カムスライダ４が摺動することで昇降ボス３１がカム溝４２に押され、トラバースシャーシ３は旋回する。
【００３８】
トラバースシャーシ３はディスク駆動部５がクランパ（不図示）とで光ディスクを保持するクランプ位置と、ディスク駆動部５がディスクトレイ２の摺動を妨げない退避位置との間を旋回する。
【００３９】
トラバースシャーシ３に配置されたディスク駆動部５は、光ディスクの中央に形成された孔を貫通して支持するターンテーブル５１と、ターンテーブル５１を回転駆動するモータ５２とを備えている。また、光ピックアップ６は光ディスクに光を照射するための光学系（レンズ、光源等を含む）を備えており、トラバースシャーシ３に形成された開口３２に配置されている。
【００４０】
光ピックアップ６はトラバースシャーシ３に配置されたガイドレール６０に摺動可能に支持されている。光ピックアップ６はトラバースシャーシ３に備えられている、リードスクリューと駆動モータを有する駆動機構の駆動力を受けて摺動する。
【００４１】
トラバースシャーシ３はディスクトレイ２が予め決められている位置まで進入してきたとき、ディスクトレイ２に向かって旋回する。また、光ディスクの記録又は再生が終了したとき、トラバースシャーシ３が退避位置まで旋回した後、ディスクトレイ２の進出が開始される。この、ディスクトレイ２とトラバースシャーシ３の動作のタイミングの調整はカムスライダ４によって行われている。
【００４２】
本発明にかかる光ディスク装置に用いられるカムスライダの詳細について図面を参照して説明する。図３は本発明にかかる光ディスク装置の前面側から見た概略配置図であり、図４はカムスライダのスライダボスとガイド溝を拡大した平面図であり、図５は図４をＶ−Ｖ線で切断したときの拡大断面図である。
【００４３】
図３に示すように、カムスライダ４は上面からディスクトレイ２に向かって突出したスライダボス４１と、前面側に形成されたクランク形状のカム溝４２と、長手方向端部より突出し、前面側にラックギヤが形成されたスライダラック４３とを備えている。
【００４４】
カム溝４２は、左側から、上溝４２１、斜溝４２２及び下溝４２３を備えた貫通孔である。上溝４２１及び下溝４２３はディスクトレイ２の下面に対して平行に形成されており、斜溝４２２は上溝４２１と下溝４２３を連結している。カム溝４２にはトラバースシャーシ３の昇降ボス３１が係合されている。
【００４５】
昇降ボス３１はカムスライダ４の位置によってカム溝４２の異なる部分（上溝４２１、斜溝４２２、下溝４２３）と係合する。すなわち、図３において、カムスライダ４が最も左にあるとき、昇降ボス３１は下溝４２３と係合し、カムスライダ４が右に摺動するにしたがって、斜溝４２２、上溝４２１に移動する。なお、昇降ボス３１が下溝４２３と係合しているとき、トラバースシャーシ３はディスクトレイ２から最も遠い位置（退避位置）にある。また、昇降ボス３１が上溝４２１と係合しているとき、トラバースシャーシ３はクランプ位置にある（図３の状態）。
【００４６】
図４に示すように、スライダボス４１はディスクトレイ２に向かって突出した固定ボス４１１と、固定ボス４１１の後側に固定ボス４１１と並んで配置された可動ボス４１２とを備えている。固定ボス４１１と可動ボス４１２との間には間隙がある。固定ボス４１１はカムスライダ４の表面と一体的に形成されている。可動ボス４１２はカムスライダ４１に形成された貫通孔４１０の内部に後面から前面に向かって張り出している板ばね状の弾性変形部４１３の先端に配置されている。
【００４７】
なお、固定ボス４１１は力が作用する方向に関わらず変形しない或いは変形しにくい。一方、図５に示すように、可動ボス４１２にディスクトレイ２の摺動方向の力が作用すると、弾性変形部４１３が変形する（たわむ）。すなわち、可動ボス４１２に力が作用しているとき、可動ボス４１２は弾性変形部４１３の変形によって無荷重状態に対して変位している。
【００４８】
図４に示しているように、固定ボス４１１及び可動ボス４１２とは、ともに、ガイド溝２２に係合されている。ディスクトレイ２の摺動によってスライダボス４１はガイド溝２２の内部を摺動する。すなわち、ディスクトレイ２の進入量によって、スライダボス４１は直線部２２１、斜行部２２２及び直交部２２３とそれぞれ係合する。
【００４９】
ディスクトレイ２とカムスライダ４とは連動する構成となっている。以下に、ディスクトレイ２が摺動するときのガイド溝２２とスライダボス４１の位置関係について図面を参照して説明する。図６はディスクトレイがディスク交換位置から記録／再生位置に摺動する間のガイド溝とスライダボスの位置を示す図である。図６（Ａ）はディスクトレイがディスク交換位置にあるときの図であり、図６（Ｂ）はディスクトレイがローダシャーシの内部の途中まで進入した状態の図であり、図６（Ｃ）はディスクトレイが停止する直前の状態の図であり、図６（Ｄ）はディスクトレイが記録／再生位置にあるときの図である。なお、図６の各図において、ガイド溝２２は直線部が省略されていない方のガイド溝を例に説明するが、直線部が省略されているガイド溝の方も、直線部以外では、同じ動きとなる。
【００５０】
まず、ディスクトレイ２がディスク交換位置からローダシャーシ１の内部に進入するときの動作（ローディング）について説明する。ディスクトレイ２の凹部２０に光ディスクが載置され、スイッチ入力、リモコン入力等の搬入動作開始の入力を受けると、図示を省略した制御部の指示で駆動モータ１６が始動される。駆動モータ１６の駆動によってトレイギヤ１４が回転され、トレイギヤ１４と噛合しているトレイラック２１に駆動力が伝達される。
【００５１】
トレイラック２１に伝達された駆動力によって、ディスクトレイ２はディスク交換位置からローダシャーシ１の内部に移動する。このとき、図６（Ａ）に示すように、カムスライダ４のスライダボス４１はガイド溝２２の直線部２２１と係合している。直線部２２１はディスクトレイ２の摺動方向に沿って形成されており、スライダボス４１の摺動方向と直交する方向の移動が直線部２２１によって規制されている。
【００５２】
これにより、ディスクトレイ２がディスク交換位置から予め決められた位置（スライダボス４１が直線部２２１から斜行部２２２に到達する位置）に移動する間は、スライダボス４１は直線部２２１によって移動が規制されている。これにより、カムスライダ４はディスクトレイ２の摺動方向と直交する方向に動かないようにロックされている。また、カムスライダ４のスライダラック４３はトレイギヤ１４と噛合していない。
【００５３】
次に、図６（Ｂ）に示すように、ディスクトレイ２の移動によって、スライダボス４１がガイド溝２２の直線部２２１から斜行部２２２に移動する。このとき、スライダボス４１の固定ボス４１１が斜行部２２２の前面側の内壁と接触する。ディスクトレイ２の更なる摺動によって、固定ボス４１１が斜行部２２２からディスクトレイ２の摺動方向と直交する方向（図２中左側）に押される。これにより、カムスライダ４はディスクトレイ２の摺動方向と直交する方向に移動される。このとき、可動ボス４１２はガイド溝４１と接触しておらず、弾性変形部４１３も変形していない。
【００５４】
カムスライダ４の摺動距離が一定距離に達すると、スライダラック４３がトレイギヤ１４と噛合する。ここで、カムスライダ４の駆動は、ガイド溝２２がスライダボス４１を押す力から、トレイギヤ１４からスライダラック４３に伝達される力に切り替わる。
【００５５】
ディスクトレイ２及びカムスライダ４が摺動し、スライダボス４１がガイド溝２２の斜行部２２２から直交部２２３に到達すると、トレイギヤ１４とトレイラック２１との噛合ははずれ、ディスクトレイ２の摺動が停止する。一方で、スライダラック４３はトレイギヤ１４と噛合しており、トレイギヤ１４からスライダラック４３に駆動力が伝達されることでカムスライダ４は摺動を続ける（図６（Ｃ）参照）。
【００５６】
ディスクトレイ２のトレイラック２１とトレイギヤ１４との噛合が外れたとき、スライダボス４１は斜行部２２２から直交部２２３に完全に移動していない。すなわち、後側の可動ボス４１２の一部が直交部２２３と重なった状態になっている。この状態で、カムスライダ４が摺動すると、可動ボス４１２がガイド溝２２の直交部２２３の内壁で押され、弾性変形部４１３が変形する（図４、５、６（Ｃ）等参照）。
【００５７】
スライダボス４１が直交部２２３と係合しているとき、弾性変形部４１３が変形しており、弾性変形部４１３は元に戻る方向に弾性力を発揮している。この弾性変形部４１３が元に戻ろうとする弾性力（復元力）によって、可動ボス４１２がガイド溝２２の直交部２２３の後側の内面を押している。
【００５８】
可動ボス４１２がガイド溝２２の直交部２２３の後側の内面を押すことで、ディスクトレイ２が後側に押され、ディスクトレイ２は後側に摺動する。ディスクトレイ２の後側への摺動によって、ディスクトレイ２の蓋状部２３が確実にローダシャーシ１の開口１３の周囲に押し当てられる。これにより、開口１３を密閉することができ開口１３から異物がローダシャーシ１の内部に入るのを抑制することができる。なお、また、可動ボス４１２のガイド溝２２を押す力は弾性変形部４１３の弾性力によるものでありモータ１６の力に比べて非常に小さい。このことにより、可動ボス４１２がガイド溝２２を押すことによるディスクトレイ２の移動は、速度が遅く、蓋状部２３がローダシャーシ１と接触したときの衝撃音の発生も抑制される。
【００５９】
また、可動ボス４１２は固定ボス４１１との間の隙間を変位するので、ガイド溝２２に押されることによる変位量を変化させることが可能である。これにより、ガイド溝２２の位置が前方に、ディスクトレイ２の蓋状部２３が閉じなくなったり、後方にずれて、強くローダシャーシ１に押し当てられたりするのを抑制することができる。
【００６０】
スライダボス４１が直交部２２３の奥まで移動したとき（図６（Ｄ）の状態）、不図示の検知部（位置センサ等）が端部までカムスライダ４が到達したことを検知し、その検知に基づいて制御部がモータ１６を停止する。なお、モータ１６の停止は、検知部によるカムスライダ４の検知に限定されるものではなく、カムスライダ４が停止することによるトルクの変動を検知して停止するもの等、カムスライダ４が終端に到達したときに、モータ１６を確実に停止することができる方法を広く採用することができる。
【００６１】
なお、カムスライダ４が摺動するときに、トラバースシャーシ３の昇降ボス３１はカム溝４２の下溝４２３から斜溝４２２を経て上溝４２１に移動する。これにより、トラバースシャーシ３は後側を中心に旋回し、ディスクトレイ２に接近する。このとき、ターンテーブル５１が開口２４を通過し、光ディスクをディスクトレイ２の凹部２０から押し出し、クランパとで挟持する。その後ターンテーブル５１を回転しつつ、光ピックアップ６からレーザ光を照射することで、情報の再生又は記録を行う。
【００６２】
次に、光ディスクに対する情報の記録又は再生が終了し、光ディスクをローダシャーシ１の外部に搬出するときの動作（アンローディング）について説明する。光ディスクに対する情報の記録又は再生が終了したとき、ディスクトレイ２は記録／再生位置にある。また、カムスライダ４は最も右に寄った状態であり、スライダボス４１はガイド溝２２の直交部２２３の斜行部２２２と反対側の端部に位置している。
【００６３】
光ディスクに対する情報の記録又は再生が終了すると、制御部（不図示）はモータ１６をローディングのときと反対方向に回転させる。モータ１６の回転は伝達ギヤ１５を介しトレイギヤ１４に伝達される。トレイギヤ１４の回転がスライダラック４３に伝達され、カムスライダ４が（左側に）摺動する。カムスライダ４が摺動することで、スライダボス４１が直交部２２３内を斜行部２２２の方に向かって移動する。
【００６４】
このとき、トラバースシャーシ３の昇降ボス３１は、カム溝４２の上溝４２１から斜溝４２２を通って下溝４２３に移動する。昇降ボス３１の移動によって、トラバースシャーシ３はディスクトレイ２から離間し、退避位置まで旋回する。この旋回によって、ターンテーブル５１とクランパ（不図示）とで挟持されていた光ディスクが、ディスクトレイ２の凹部２０に戻る。また、トラバースシャーシ３が退避位置に移動したことで、ディスクトレイ２はターンテーブル５１と干渉することなく摺動することが可能な状態になる。
【００６５】
カムスライダ４が摺動して、スライダボス４１が直交部２２３から斜行部２２２に到達すると、直交部２２３に押されていた可動ボス４１２が元の位置に戻る。これにより、可動ボス４１２から直交部２２３に作用していた力が解除される。また、スライダボス４１が斜行部２２２に到達しているので、斜行部２２２の内壁が固定ボス４１１に押される。これにより、斜行部２２２の前側の内壁側が固定ボス４１１に前方向に押され、ディスクトレイ２には、前側に向かう方向に力が作用する。スライダボス４１が斜行部２２２の予め決められた位置まで移動すると、ディスクトレイ２の摺動によって、トレイラック２１がトレイギヤ１４と噛合する。これにより、トレイギヤ１４の回転がトレイラック２１に伝達され、ディスクトレイ２は開口１３から前面に進出する。
【００６６】
カムスライダ４が一定距離移動すると、スライダラック４３とトレイギヤ１４との噛合が外れる。このとき、トレイラック２１がトレイギヤ１４と噛合していると共に、ディスクトレイ２はトレイギヤ１４の駆動力がトレイラック２１に伝達されて前面側に摺動している。このとき、スライダボス４１は斜行部２２２に位置している。
【００６７】
カムスライダ４はディスクトレイ２が前面側に摺動するときに、可動ボス４１２が斜行部の内壁に押され、ディスクトレイ２と直交する方向（左方向）に摺動する。可動ボス４１２は弾性変形部４１３の変形によって変位するが、可動ボス４１２は固定ボス４１１接触した後、可動ボス４１２の変位が規制され、斜行部２２２の内壁に押され、カムスライダ４は摺動する。
【００６８】
スライダボス４１が直線部２２１に到達すると、直線部２２１がディスクトレイ２の摺動方向に沿って形成された溝であることより、スライダボス４１に対して力を付与しない。また、カムスライダ４にはモータ１６からの駆動力も付与されていないのでカムスライダ４は停止する。なお、スライダボス４１がカムスライダ４の摺動方向に直線部２２１の内壁に係合されているとき、カムスライダ４の移動は規制される。
【００６９】
ディスクトレイ２にはモータ１６によって回動されているトレイギヤ１４の回転力がトレイラック２１に伝達されており、ディスクトレイ２は前面側に移動する。そして、ディスクトレイ２がディスク交換位置まで移動したとき、制御部（不図示）はモータ１６を停止し、ディスクトレイ２の移動が終了する。なお、モータ１６の停止のタイミングの決定は、ディスクトレイ２の位置を検出するためのセンサ等を用いてディスクトレイ２がディスク交換位置に到達したことを検出したことで、モータ１６を停止させるものを挙げることができる。
【００７０】
しかしながら、モータ１６の停止の方法はそれに限定するものではなく、ディスクトレイ２がディスク交換位置に到達したとき、ストッパ等で移動を強制的に停止するように形成しておき、ディスクトレイ２が強制的に停止されたときのモータ１６の負荷の変化によって停止するものとしてもよい。また、モータ１６の始動からの時間で停止のタイミングを決定するものであってもよい。モータ１６の停止の方法としては、ディスクトレイ２を円滑且つ正確にディスク交換位置に摺動し停止することができる方法を広く採用することができる。
【００７１】
なお、本実施形態の光ディスク装置において、ガイド溝２２の直交部２２３と可動ボス４１２は、スライダボス４１が斜行部２２２から直交部２２３に到達したとき、可動ボス４１２の一部が直交部２２３の後側の壁体とディスクトレイ２の摺動方向に重なるように形成されている。直交部２２３と可動ボス４１２をこのように形成することで、スライダボス４１が斜行部２２２から直交部２２３に到達したとき、可動ボス４１２は直交部２２３によって押され変位する。それとは反対に、弾性変形部４１３の弾性力でディスクトレイ２が後側に押され、蓋状部２０がローダシャーシ１と接触し、開口１３が確実に覆われる。
【００７２】
これにより、ローダシャーシ１の外部から開口１３を介して塵、埃等の異物が入ったり、内部の光が開口１３から外部に漏れたりするのを抑制することができる。また、可動ボス４１２が直交部２２３を押すことによる、蓋状部２０とローダシャーシ１との接触は、弾性変形部４１３の弾性力によってディスクトレイ２が動かされるものである。この力はモータ１６による力に比べて小さく、接触速度が低く、大きな衝撃音が発生しにくい。これにより、光ディスク装置の動作品質を高めることが可能である。
【００７３】
本発明にかかる光ディスク装置に用いられるカムスライダの他の例について図面を参照して説明する。図７は本発明にかかる光ディスク装置に用いられるカムスライダの他の例の平面図である。図７に示すカムスライダ４Ｂは、スライダボス４１ｂの形状が異なる以外は、図２等に図示しているカムスライダ４と同じ構成を有している。なお、実質上同じ部分には同じ符号が付してあると共に、同じ部分の詳細な説明は省略する。
【００７４】
カムスライダ４Ｂのスライダボス４１ｂは、カムスライダ４Ｂに一体成形された固定ボス４１１と、固定ボス４１１の後側に固定ボス４１１と並んで突設された可動ボス４１２ｂとを備えている。可動ボス４１２ｂはカムスライダ４の可動ボス４１２とは異なり、固定ボス４１１と同様、カムスライダ４Ｂから突設されている。
【００７５】
可動ボス４１２ｂは、ディスクトレイ２の摺動方向に力を受けると、可動ボス４１２ｂそれ自体が弾性変形するように形成されている。例えば、断面積が固定ボス４１１に比べて小さくなるように形成されており、力が作用することで変形しやすい構成となっている。
【００７６】
ディスクトレイ２がローダシャーシ１の内部に進入し、記録／再生位置まで到達したとき、カムスライダ４Ｂの移動によって、可動ボス４１２ｂが直交部２２３の内壁に押され変形する。可動ボス４１２ｂの変形による弾性力が直交部２２３に付勢され、ディスクトレイ２が後側に付勢される。ディスクトレイ２の蓋状部２３がローダシャーシ１と接触していない場合、可動ボス４１２ｂの変形による弾性力でディスクトレイ２は後側に押され、蓋状部２３がローダシャーシ１と接触し、開口１０がふさがれる。
【００７７】
また、可動ボス４１２ｂが変形したとき、蓋状部２３がローダシャーシ１と接触している場合、ディスクトレイ２はそれ以上摺動しないが、後側に押されているので蓋状部２３がローダシャーシ１に押し当てられて密着し、開口１３から塵、埃等の異物が入ったり、内部の光が外部に漏れたりするのを抑制することができる。これにより、光ディスク装置の記録又は再生を精度よく行うと共に、品位が低下するのを抑制することが可能である。
【００７８】
本発明にかかる光ディスク装置に用いられるカムスライダのさらに他の例について図面を参照して説明する。図８は本発明にかかる光ディスク装置に用いられるカムスライダのさらに他の例の平面図である。図８に示すカムスライダ４Ｃは、スライダボス４１ｃの形状が異なる以外は、図２等に図示しているカムスライダ４と同じ構成を有している。なお、実質上同じ部分には同じ符号が付してあると共に、同じ部分の詳細な説明は省略する。
【００７９】
図８に示すように、カムスライダ４Ｃは、スライダラック４３に近いスライダボス４１１ｃは全体が固定された従来からある構成のものであり、スライダラック４３から遠いスライダボス４１ｃは、前面側が固定ボス４１１、後側が可動ボス４１２ｂを備える構成である。なお、可動ボス４１２ｂはカムスライダ４Ｂに備えられている可動ボス４１２ｂと同じ構成のものである。
【００８０】
一つの可動ボス４１２ｂの弾性力でディスクトレイ２を摺動させたり、押えたりできる場合、上述のように片側のスライダボス４１ｃにだけ、可動ボス４１２ｂが形成されていても、開口１３からの異物の挿入を抑制し、内部の光が外部に漏れるのを抑制することができる。なお、本実施例において、スライダボス４１ｃとして、可動ボス４１２ｂを備えたスライダボス４１ｃを挙げているが、それに限定されるものではなく、可動ボス４１２と弾性変形部４１３を備えたスライダボス４１と同じ構成のものであってもよい。また、可動ボス４１２ｂを備えたスライダボス４１ｃを図中左側に形成する例を挙げているが、右側のスライダボス（すなわち、トレイラックに近い方）のボスを可動ボスを備えた構成としてもよい。
【００８１】
本発明のかかる光ディスク装置の他の例について図面を参照して説明する。図９は本発明にかかる光ディスク装置のガイド溝とカムスライダとを主に示した配置図である。図９に示す光ディスク装置では、カムスライダ４Ｂが備えられている。なお、図９に示す光ディスク装置は、ディスクトレイ２のガイド溝の形状が異なる以外、図２等に示す光ディスク装置と同じ構成を有している。実質上同じ部分には同じ符号を付し、同じ部分についての詳細な説明は省略する。
【００８２】
図９に示すように、光ディスク装置のディスクトレイ２にはガイド溝２２ｄが備えられている。ガイド溝２２ｄにおいて、直線部及び斜行部は図２に示す光ディスク装置の直線部２２１及び斜行部２２２と同じ形状のものを備えている。
【００８３】
ガイド溝２２ｄは、斜行部２２２と直交部２２３ｄとの間に広幅部２２４ｄを備えている。広幅部２２４ｄは、後側の壁体が直交部２２３ｄよりも、さらに後側にずれることで、溝の幅を確保している。広幅部２２４ｄは、直交部２２３ｄと隣接している部分において、後側の壁体が直交部２２３ｄの後側の壁体に向かって傾斜した構成となっている。傾斜した構成を備えていることで広幅部２２４ｄと直交部２２３ｄとの後側の壁体は滑らかな壁面を形成している。
【００８４】
ディスクトレイ２の摺動時のガイド溝２２ｄとスライダボス４１ｂの位置関係について説明する。なお、スライダボス４１ｂの直線部２２１から斜状部２２２への移動に関しては、上述と同じであり詳細は省略する。ディスクトレイ２がローダシャーシ１の内部に摺動すると、スライダボス４１ｂがガイド溝２２ｄの直線部２２１を移動し、斜行部２２２に到達する。スライダボス４１ｂの固定部４１１が斜行部２２２に押され、カムスライダ４Ｂはディスクトレイ２と直交する方向に摺動する。
【００８５】
スライダボス４１ｂが斜行部２２２から広幅部２２４ｄに移動するとき、スライダボス４１ｂのスライダラック４３がトレイギヤ１４と噛合し、カムスライダ４Ｂにはディスクトレイ２から押される力よりも大きな力が作用し、その力によって摺動されている。広幅部２２４ｄの後側の壁体が後側にずれて形成されており、スライダボス４１ｂが広幅部２２４ｄに移動しても、可動ボス４２２ｂは壁体から押えられない。すなわち、可動ボス４２２ｂが変形していない。
【００８６】
ディスクトレイ２が停止し、カムスライダ４Ｂが摺動すると、スライダボス４１ｂは広幅部２２４ｄ内を移動する。スライダボス４１ｂが直交部２２３ｄに接近すると、可動ボス４１２ｂが広幅部２２４ｄの傾斜に押されて変形し、直交部２２３ｄに移動したとき、最も大きく変形している。可動ボス４１２ｂは弾性変形する部材であり、すなわち、変形による弾性力は変形量が大きくなるほど大きくなる。カムスライダ４Ｂの摺動によって傾斜に押され、変形量が大きくなる。
【００８７】
カムスライダ４Ｂに作用する摺動力は、ガイド溝２２ｄの斜行部２２２から押されている状態から、トレイギヤ１４から伝達される駆動力に切り替わるとき、大きくなる。ガイド溝２２ｄにおいて、斜行部２２２と隣接して広幅部２２４ｄが備えられていることで、可動ボス４１２ｂが直交部の壁体にカムスライダ４Ｂの摺動方向に強く押されない。また、傾斜に押されることで、可動ボス４１２ｂに作用するカムスライダ４Ｂの摺動方向の力を抑えつつ、ディスクトレイ２の摺動方向に力を作用させている。これにより、可動ボス４１２ｂには、変形しにくい方向（カムスライダ４Ｂが摺動する方向）に作用する力を抑えることができ、可動ボス４１２ｂの変形、破損等を抑制することができる。
【００８８】
ディスクトレイ２が停止したとき、蓋状部２３がローダシャーシ１と接触していない場合、可動ボス４１２ｂの弾性力がディスクトレイ２を動かすことができる力よりも大きくなったときにディスクトレイ２は可動ボス４１２ｂの弾性力で後側に押される。これにより、蓋状部２３がローダシャーシ１と完全に接触し、押し当てられて密封されるる。これにより、開口１３から塵、埃等の異物のローダシャーシ１への浸入や、ローダシャーシ１内部の光が外部に漏れるのを抑制することができる。
【００８９】
このことにより、異物が対物レンズ等の光学素子、或いは、光ディスクに付着して情報の記録又は再生の精度が低下するのを抑制することが可能である。また、ローダシャーシ１の内部の光が外部に漏れにくいので、光ディスク装置の前面側から光が漏れることで、品位が低下するのを抑制することが可能である。
【００９０】
以上示したように、本願発明の光ディスク装置を用いることで、蓋状部とディスクトレイが出入りする開口との隙間をうめるためのスポンジ状の部材や、蓋状部をさらにカバーしばね等による弾性力で開口を覆うカバー部材を用いることなく、ディスクトレイが出入りする開口から塵、埃等の異物が浸入するのを抑制し、ローダシャーシ内部の光が外部に漏れるのを抑制することが可能である。また、蓋状部がローダシャーシに接触するときの接触音を低減することも可能である。
【産業上の利用可能性】
【００９１】
本発明は、記録媒体である光ディスクを搬送するためにディスクトレイを用いる光ディスク装置に利用することができる。
【符号の説明】
【００９２】
１  ローダシャーシ
１１  底面
１２  壁部
１３  開口
１４  トレイギヤ
１５  伝達ギヤ
１６  モータ
２  ディスクトレイ
２０  凹部
２１  トレイラック
２２  ガイド溝
２２１  直線部
２２２  斜行部
２２３  直交部
２３  蓋状部
２４  開口窓
３  トラバースシャーシ
３１  昇降ボス
４  カムスライダ
４１  スライダボス
４１０  貫通孔
４１１  固定ボス
４１２  可動ボス
４１３  弾性変形部
４２  カム溝
４２１  上溝
４２２  斜溝
４２３  下溝
４３  スライダラック
５  ディスク駆動部
５１  ターンテーブル
５２  モータ
６  光ピックアップ
【図１】
2011233185.tif 000003
【図２】
2011233185.tif 000004
【図３】
2011233185.tif 000005
【図４】
2011233185.tif 000006
【図５】
2011233185.tif 000007
【図６】
2011233185.tif 000008
【図７】
2011233185.tif 000009
【図８】
2011233185.tif 000010
【図９】
2011233185.tif 000011
【図１０】
2011233185.tif 000012
【図１１】
2011233185.tif 000013